(57)【要約】ヘッド交換可能なブラシの一実施形態は、フェルールを伴うブラシヘッドと、ブラシハンドルとを含む。フェルールは、一方の端にヘッドを、他方の端にハンドルを有する。ヘッドは、ハンドル上の２つの異なる場所に装着することができる。ブラシハンドルとフェルールとが結合されるところでは、これら２つのパーツにそれぞれ１つずつ磁石が取り付けられる。ブラシヘッドは、必要であればいつでも簡単に交換してハンドルに組み付けることができる。フェルールは、内部の磁石の作用によって、ハンドル上にしっかり維持することができる。このブラシキットは、ハンドルは１本のみであるが、様々なブラシヘッドを伴っているので、このブラシキットのヘッド交換機能は、ブラシの使用範囲を大幅に広げるとともに、材料の無駄を回避することができる。
2011500264.tif 000002
【特許請求の範囲】
【請求項１】
ヘッド交換可能な化粧用塗布器であって、
フェルールと第１の磁気素子とを含む第１のヘッドアセンブリと、
フェルールと第２の磁気素子とを含む第２のヘッドアセンブリと、
第３及び第４の磁気素子を含むハンドルと、
を備え、前記第１及び第３の磁気素子の少なくとも１つは、磁石であり、前記第１のヘッドアセンブリは、前記第１のヘッドアセンブリと前記ハンドルとが取り付けられたときに前記第１の磁気素子と前記第３の磁気素子との間の磁力によって前記ハンドルに解放可能式に取り付け可能であり、
前記第２及び第４の磁気素子の少なくとも１つは、磁石であり、前記第２のヘッドアセンブリは、前記第２のヘッドアセンブリと前記ハンドルとが取り付けられたときに前記第２の磁気素子と前記第４の磁気素子との間の磁力によって前記ハンドルに解放可能式に取り付け可能である、ヘッド交換可能な化粧用塗布器。
【請求項２】
請求項１に記載のヘッド交換可能な塗布器であって、
前記ハンドルは、細長く、前記第３及び第４の磁気素子は、前記ハンドルの両端にある、ヘッド交換可能な塗布器。
【請求項３】
請求項１又は２に記載のヘッド交換可能な塗布器であって、
前記第１のヘッドアセンブリは、前記第４の磁気素子に取り付け可能でない、ヘッド交換可能な塗布器。
【請求項４】
請求項３に記載のヘッド交換可能な塗布器であって、
前記第２のヘッドアセンブリは、前記第３の磁気素子に取り付け可能でない、ヘッド交換可能な塗布器。
【請求項５】
請求項１ないし４のいずれかに記載のヘッド交換可能な塗布器であって、
前記第１のヘッドアセンブリ及び前記ハンドルの一方は、第１の凹所を含み、前記第１のヘッドアセンブリ及び前記ハンドルの他方は、前記第１の凹所に挿し込み可能な第１の突出を含み、
前記第１及び第３の磁気素子は、前記第１の突出上及び前記第１の凹所内にある、ヘッド交換可能な塗布器。
【請求項６】
請求項５に記載のヘッド交換可能な塗布器であって、
前記第２のヘッドアセンブリ及び前記ハンドルの一方は、第２の凹所を含み、前記第２のヘッドアセンブリ及び前記ハンドルの他方は、前記第２の凹所に挿し込み可能な第２の突出を含み、
前記第２及び第４の磁気素子は、前記第２の突出上及び前記第２の凹所内にある、ヘッド交換可能な塗布器。
【請求項７】
請求項６に記載のヘッド交換可能な塗布器であって、
前記第１及び第２の突出は、異なる幅である、ヘッド交換可能な塗布器。
【請求項８】
請求項５ないし７のいずれかに記載のヘッド交換可能な塗布器であって、
前記突出の各自及びそれに関連付けられた凹所は、前記ヘッドアセンブリと前記ハンドルとが取り付けられたときに一直線に揃う長手方向軸を有し、前記突出及び前記凹所の一方は、少なくとも１本の軸方向溝を含み、前記突出及び前記凹所の他方は、前記揃えられた軸を中心にした、前記ハンドルに相対的な前記ヘッドアセンブリの回転を抑えるために、前記少なくとも１本の溝に係合するように位置決めされた、少なくとも１つの隆起を含
む、ヘッド交換可能な塗布器。
【請求項９】
請求項１ないし８のいずれかに記載のヘッド交換可能な塗布器であって、
前記第１及び第３の磁気素子は、ともに、永久磁石であり、前記ハンドルと前記第１のヘッドアセンブリとが組み合わされたときに互いに引き合うように配向される、ヘッド交換可能な塗布器。
【請求項１０】
請求項９に記載のヘッド交換可能な塗布器であって、
前記第２及び第４の磁気素子は、ともに、永久磁石であり、前記ハンドルと前記第１のヘッドアセンブリとが組み合わされたときに互いに引き合うように配向される、ヘッド交換可能な塗布器。
【請求項１１】
請求項１０までのいずれかに記載のヘッド交換可能な塗布器であって、更に、
フェラールと第１又は第３の磁気素子とを含む少なくとも１つの更なるヘッドアセンブリを備え、
前記更なるヘッドアセンブリは、前記更なるヘッドアセンブリと前記ハンドルとが取り付けられたときに前記第１の磁気素子と前記第３の磁気素子との間又は前記第２の磁気素子と前記第４の磁気素子との間の磁力によって前記ハンドルに解放可能式に取り付け可能である、ヘッド交換可能な塗布器。
【請求項１２】
ヘッド交換可能な化粧用塗布器であって、
フェルールと第１の磁気素子とを各自含む第１のヘッドアセンブリと、
フェルールと第２の磁気素子とを各自含む第２のヘッドアセンブリと、
第３及び第４の磁気素子を含む第１及び第２の端を有するハンドルと、
を備え、前記第１及び第３の磁気素子の少なくとも１つは、磁石であり、前記第１のヘッドアセンブリの任意は、前記第１のヘッドアセンブリと前記ハンドルとが取り付けられたときに前記第１の磁気素子と前記第３の磁気素子との間の磁力によって前記ハンドルの前記第１の端に解放可能式に取り付け可能であり、
前記第２及び第４の磁気素子の少なくとも１つは、磁石であり、前記第２のヘッドアセンブリの任意は、前記第２のヘッドアセンブリと前記ハンドルとが取り付けられたときに前記第２の磁気素子と前記第４の磁気素子との間の磁力によって前記ハンドルの前記第２の端に解放可能式に取り付け可能である、ヘッド交換可能な化粧用塗布器。
【請求項１３】
請求項１２に記載のヘッド交換可能な塗布器であって、
前記ハンドルの前記第１及び第２の端は、前記第３及び第４の磁気素子を含む異なるサイズの突出を伴うようにそれぞれ形成され、前記第１及び第２のヘッドアセンブリの前記フェルールは、前記第１のヘッドの任意が、前記ハンドルの前記第１の端の前記突出にはぴたりと嵌ることができるが前記ハンドルの前記第２の端の前記突出にはそうできず、前記第２のヘッドの任意が、前記ハンドルの前記第２の端の前記突出にはぴたりと嵌ることができるが前記ハンドルの前記第１の端の前記突出にはそうできないように、対応する異なるサイズの凹所を伴うように形成される、ヘッド交換可能な塗布器。
【発明の詳細な説明】
【技術分野】
【０００１】
（関連出願）
本出願は、２００７年１０月２２日に出願された米国特許出願第１１／９７５，８０８号の利益を主張する。
【０００２】
（技術分野）
化粧用ブラシは、メイクを施す人にとって、主要な塗布器である。異なる種類のメイクには、リップブラシやアイシャドウブラシなど異なる種類のブラシが求められる。現在市販されている化粧用塗布器では、１つのブラシに１つの機能しかないので、満足のいくメイクを実現するには、ユーザは、ブラシをセットで購入する必要がある。通常のブラシのブラシヘッドは、頻繁な使用によって容易に損傷されて、交換が必要になる。しかしながら、ブラシのヘッドのみが損傷されたときに、ブラシのハンドル及びフェルールを捨てるのは、無駄遣いである。
【０００３】
上記の問題を解決するため、ヘッドとハンドルとが別になったブラシが現在入手可能である。しかしながら、フェルールとハンドルとは、ネジによって結合され、ブラシには、以下の欠点がある。第１に、結合は、ヘッドがハンドルにしっかり付いていることを保証できるほど効果的でなく、第２に、使用時にブラシハンドルをフェルールに組み込むのに時間がかかる。したがって、上記のブラシは、メイクを施すのに十分に使い勝手がいいとは言えない。
【０００４】
（発明の概要）
本発明の実施形態にしたがって、ハンドルとフェルールとの結合をより確実にする、互換性のヘッドを有するブラシキットが提供される。また、このブラシキットは、磁石によってブラシハンドルに容易に組み付け可能な様々なブラシヘッドを提供することによって、メイクを施すにあたって様々な機能を果たすことができる。
【０００５】
本発明の一実施形態において、ブラシキットは、フェルールを各自伴う第１及び第２のブラシヘッドと、ブラシハンドルとを含む。ブラシは、フェルールの一方の端にヘッドを、フェルールの他方の端にハンドルを伴うように組み立てられる。ブラシハンドルとフェルールとが結合するところでは、これら２つのパーツの少なくとも一方に、磁石が取り付けられる。第１及び第２のヘッドは、ハンドルの異なる端に付く。
【０００６】
ブラシヘッドは、筒状のハンドルに挿し込まれてよい。或いは、ブラシハンドルは、ブラシヘッドに取り付けられた筒状のフェルールに挿し込まれてよい。
【０００７】
ハンドル及びフェルールの双方に磁石を提供することによって、又は一方に磁石を、他方に磁化可能な材料片を提供することによって、ハンドルは、フェルールに挿し込まれたときに、フェルールとしっかり係合した状態にとどまることができる。この単純な構造は、ブラシの容易な組み立てを可能にし、したがって、ブラシヘッドを組み付ける時間を短縮する。
【０００８】
１本のブラシハンドルは、様々なブラシヘッドと組み合わせることができる。ブラシヘッドが損傷されたら、使用者は、ブラシを丸ごと捨てる代わりに、ブラシヘッドだけを換えることができる。
【０００９】
キットは、１つのヘッドに使用することができる様々なハンドル、又は１本のハンドル
に使用することができる様々なヘッドを含んでよい。異なるヘッド又はハンドルの間における互換性によって、使用者は、幾つかの異なるブラシの機能性を、それだけの数のブラシのコスト及びサイズがなくても得ることができる。例えば、ブラシヘッドを汚れないようにすると同時に旅行時の携帯に便利なブラシセットを提供するために、様々なブラシヘッドを伴う１本のハンドルを小さい化粧箱又は化粧ポーチに入れることができる。ヘッドは、ハンドルの両方の端に取り付けることができるので、ハンドルの一方の端に大きめのヘッド用の大きめの結合を、ハンドルの他方の端に小さめのヘッド用の小さめの結合を伴うことによって、広範囲のサイズのヘッドを容易に提供することができる。
【００１０】
以上の概要及び以下の詳細な説明は、ともに、例示及び説明のためであり、特許請求の範囲に記載された発明の更なる説明を提供することを意図していることを理解されるべきである。
【００１１】
本発明の更なる理解を可能にするために含まれ、本明細書に組み込まれてその一部を構成する添付の図面は、本発明の実施形態を示しており、説明と相まって、本発明の原理を説明する働きをする。
【図面の簡単な説明】
【００１２】
【図１】組み立てられたブラシの正面図である。
【図２】図１に示されたブラシの切開図である。
【図３】図１に示されたブラシの一部を形成するブラシヘッド及びフェルールの切開図である。
【図４】図１に示されたブラシの一部を形成するブラシハンドルの切開図である。
【図５】図３と同様、図４に示されたハンドルに使用可能なブラシヘッドの代替形態を示した図である。
【図６】図３と同様、図４に示されたハンドルに使用可能なブラシヘッドの代替形態を示した図である。
【図７】図３と同様、図４に示されたハンドルに使用可能なブラシヘッドの代替形態を示した図である。
【図８】図３と同様、図４に示されたハンドルに使用可能なブラシヘッドの代替形態を示した図である。
【図９】図３と同様、図４に示されたハンドルに使用可能なブラシヘッドの代替形態を示した図である。
【図１０】図３と同様、図４に示されたハンドルに使用可能なブラシヘッドの代替形態を示した図である。
【図１１】袋に入ったブラシキットの斜視図である。
【発明を実施するための形態】
【００１３】
添付の図面に実施例を示された本発明の様々な実施形態について、詳細に言及される。これらの実施形態は、限定ではなく説明を目的として記載される。
【００１４】
先ず、図１〜４を参照すると、総じて参照符号１０によって示されるヘッド交換可能なブラシの一実施形態は、ブラシヘッドアセンブリ１２と、ブラシハンドル１４とを含む。ブラシヘッドアセンブリ１２は、毛などを含むヘッド１６と、フェルール１８と、挿し込みスリーブ２０とを含む。スリーブ２０は、ヘッド１６と反対の方を向く端２２を開口されており、スリーブの内側で且つ開口端から短い距離に、第１の磁石２４を装着されている。この実施形態では、フェルール１８は、従来のやり方で毛１６を保持し、スリーブ２０の外側に接合されているので、ヘッド１６と、フェルール１８と、スリーブ２０と、第２の磁石２４とは、使用者の立場から見て、永久的な組立品１２を形成している。
【００１５】
この実施形態では、フェルール１８は、装飾的な外観を伴う陽極酸化アルミニウム又はその他の材料で形成される。挿し込みスリーブ２０は、ＡＢＳ又はその他の成形用プラスチックで形成される。フェルール１８は、スリーブ２０の外側全体を覆ってよいが、図１に示された実施形態では、スリーブ２０のリム２６が見える状態で残されて、装飾的な特徴を形成している。リム２６は、フェルール１８を着座させる玉縁を形成するように突き出して、薄くて鋭いフェルールの縁を覆っている。玉縁２６は、ポーチ又はその他の容器の中にブラシヘッドアセンブリ１２を保持するのに役立つと考えられ、持ち運びの際のヘッド１６の損傷を抑えるとともに、異なる化粧品に使用されるヘッド１６間の接触による汚れのリスクを軽減する。セット中、異なるブラシ１２は、異なる色のスリーブ２０を伴うように作成されてよい。目に見えるスリーブ２０のリム２６は、したがって、装飾的な特徴を形成するうえに、１つのキットの中の異なるブラシを区別するにも役立つと考えられる。
【００１６】
スリーブ２０の内表面には、開口端２２を起点として短い距離に及ぶ１本又は２本以上の浅い溝２８が成形されてよい。一実施形態では、開口端２２の周囲に３本の溝２８が等間隔で提供される。
【００１７】
次に、特に図４を参照すると、ハンドル１４は、使用者が持つのに便利なようにサイズ及び形状を決められたハンドル本体３０を含む。図に示されるように、ハンドル本体は、長さが約１００ｍｍ（４インチ）で直径が約８ｍｍ（３分の１インチ）の円筒状であるが、その他の形状及びサイズが使用されてもよい。一端において、ハンドル本体３０は、より狭いペグ３２を突き出させている。ハンドル本体３０は、ペグ３２を含むものとして一体成形されてよい。ペグ３２の先端は、第２の磁石３４を所持しており、これは、ペグ３２に被さるアルミニウム又はその他の非磁性材料のキャップ３６によって、所定場所に保持される。キャップ３６は、磁石３４を隠す閉口端を有するか、又は磁石を保持できるように十分に磁石３４の端を包み込むリップによって囲われた開口端を有するかしてよい。
【００１８】
キャップ３６を含むペグ３２は、スリーブ２０の内部にぴたりと嵌るように、そしてペグ３２とハンドル本体３０との間に形成された肩３８において玉縁３６が底止する間際に第１の磁石２４においてキャップ３６の先端が底止するように、寸法を決められる。第１及び第２の磁石２４、３４は、すると、０．２５ｍｍ（０．０１インチ）又は更に薄いキャップ３６の厚さによってのみ隔たれた状態で、互いにくっつきあう。磁石は、その位置で互いに引き合うように配向される。例えば、磁石は、ともに、それらの極性方向がスリーブ２０及びペグ３２の軸に並行な方向と同じになるように磁化されてよい。
【００１９】
図１１を参照にして後述されるように、ハンドル１４の他方の端には、異なるサイズの第２のペグ８６が提供されてよい。第２のペグ８６は、ペグ３２と同様の構成及び機能であってよく、簡潔さを期するために、図１〜４には示されず、参照にした説明もされない。
【００２０】
キャップ３６の側壁には、ヘッド１２内の溝２８の数及び間隔に一致する１つ又は２つ以上の突き出しドット３８が形成されてよい。ドット３８及び溝２８は、ブラシヘッドアセンブリ１２がハンドル１４に装着されたときに、ドット３８が溝２８内に着座して、スリーブ２０及びペグ３２の長手方向軸を中心にしたブラシヘッドアセンブリ１２の回転を抑えるように、寸法を決められる。これは、横方向への動きを伴って使用されるように設計されたブラシヘッドアセンブリ５０（図１０を参照せよ）にとって、特に有用である。溝２８の口は、ドット３８を溝２８内へ導くファネルを形成するように広げられてよいが、これは、必ずしも必要ではないと考えられる。実際的な実施形態において、使用者は、溝２８がドット３８に合わさるまでヘッドアセンブリ１２及びハンドル１４を回転させるか、又はドット３８を溝２８間の表面に乗り上げさせるかのいずれかであることがわかっ
ている。後者の場合は、ヘッドアセンブリ１２の回転を抑えるのに十分な締まり嵌めをドットが形成するか、又はドット３８が溝３８に嵌り込むまでヘッドアセンブリ１２が回転するかのいずれかである。
【００２１】
図５〜１０を参照すると、メイクを施す全過程のなかの異なる目的のために、異なるヘッドアセンブリ１２、４０、４２、４４、４６、４８、５０、９２、９４、９６、９８が提供されてよい。これらのブラシは、図に示されるように、異なるヘッド１６、５０、５２、５４、５６、５８、６０等を有してよい。適切なヘッドは、様々な形状のブラシヘッドを含んでよく、図３で１６として示されたもの、図５〜１０で５０、５４、５６、及び５８として示されたもの、図１１でヘッド９２、９４、９６、及び９８に付くものとして示されたもの、スポンジ塗布器５２、ブラシとクシ６０、並びにメイクを施す又は身なりを手入れする過程で使用されるその他の塗布器又は道具が挙げられる。
【００２２】
或いは、一部又は全部のヘッドアセンブリ１２等は、実質的に同じヘッドを複数有することがあるが、これらのヘッドは、２つ以上の化粧品材料に同じブラシ又はその他の塗布器を使用することによる材料の汚れを回避するために、異なる色の化粧品材料を含む異なる化粧品材料を塗布するために使用されてよい。或いは、ブラシヘッドアセンブリ１２の一部は、形状は同様であるが素材は異なってよく、例えば、あるブラシが別のブラシより堅くてよい。このような場合は、リム２６の色の違いが、使用者にとってとりわけ有用であろう。
【００２３】
ヘッドアセンブリ４０、４２、４４、４６、４８、５０は、各自、ヘッドアセンブリ１２のものと同じスリーブ２０及び第１の磁石２４を有する。
【００２４】
図１１を参照すると、化粧品塗布キットの一実施形態は、袋又はポーチ８２を含む。図１１に示されるように、袋８２は、中央の背７４のところで開き、縁に沿ってファスナー７６によって閉じることができる。しかしながら、当該分野において知られた構成を含むその他の構成が使用されてもよい。
【００２５】
袋８２は、端から端にかけて先細るハンドル１４を含む。ハンドル１４は、図４に示されたものと同様の、磁石３４及びキャップ３６を伴うペグ３２を、狭い方の端に有する。広い方の端には、ハンドル１４は、構成は同様であるがサイズが大きい、キャップ８８及び磁石９０を伴うペグ８６を有する。図１１に示されるように、ハンドル１４は、袋８２の背に沿って配置される。袋８２は、背を挟んで一方の側に、図３及び図５〜１０に示されたヘッドアセンブリ４０、４２、４４、１２、４６、４８、５０のセットと同じヘッドアセンブリのセットを２列に装着されて、収容している。これらのヘッドアセンブリは、図１１を参照にして説明されるように、ペグ３２にちょうど嵌るようにサイズを決められている。袋８２は、背を挟んで他方の側に、構成は同様であるが大きい方のペグ８６にちょうど嵌るようにサイズを決められたヘッドアセンブリ９２、９４、９６、９８のセットを収容している。
【００２６】
ヘッドアセンブリ４０等は、十分に間隔をあけて配置され、袋７２が開いたときに容易に手に取ることを可能にしている一方で、各側のヘッドアセンブリが他方の側の隙間にちょうど嵌るゆえに、袋が閉じられたときに非常にコンパクトな構成を可能にしている。
【００２７】
図１１に示されるように、ハンドル１４及びヘッド４０等は、伸縮性のベルト７８によって所定場所に保持される。図１１からわかるように、玉縁３６は、ベルト７８に係合し、ヘッドアセンブリを適所にしっかり且つ安定的に保持することによって、隣り合うヘッド４０等が互いに擦れ合って互いを異なる化粧品材料で汚すあらゆる傾向を軽減している。
【００２８】
使用にあたり、使用者は、袋８２からハンドル１４を取り出す。使用者は、ヘッドアセンブリの１つを選び、それを袋から取り出す。キット８０の使用者は、大きいブラシヘッドアセンブリ９２、９４、９６、９８、又は小さいブラシヘッドアセンブリ４０、４２、４４、１２、４６、４８、５０のいずれかを選択し、選択されたブラシヘッドアセンブリを、ハンドル１４の適切な端に装着する。大きいブラシヘッドアセンブリは、通常、ファンデーション、頬紅、又は比較的広い面積を覆うその他の化粧品を塗布するために使用され、小さいブラシヘッドアセンブリは、通常、より狭い面積に化粧品を塗布するために使用される。使用者は、ハンドル１４のペグ３２又は８６を、選択されたヘッドアセンブリの開口端２２に挿し込む。スリーブ２０の太くて丸い玉縁２６は、開口端２２へのペグ３２又は８６の挿し込みを助ける。ペグ３２又は８６がスリーブ２０に十分に挿し込まれると、磁石２４と３４又は８８とは、互いに引き合って、ヘッドアセンブリとハンドル１４とをきつく引っ張り合わせる。すると、使用者は、選択されたヘッドアセンブリを伴うブラシ１０を使用して、化粧をする、又は既知の用法を含むそれ以外のやり方で自身の身なりに気を配る。磁気結合は、ネジ結合と異なり、ヘッドに回転力を及ぼす刷き動作にブラシの側面が使用される場合でも、緩まない傾向がある。
【００２９】
使用者は、ブラシ１０を使用し終えると、ヘッドアセンブリ１２、４０等を勢いよく引っ張ることによってハンドル１４から取り外し、そのヘッドアセンブリを袋８２の中に戻すことができる。使用者は、次いで、異なるヘッドアセンブリを選び、それを上述の用法と同じように使用するか、又はハンドル１４を袋８２の中に戻し、袋を閉じるかしてよい。
【００３０】
ハンドル１４及びヘッド１２、４０等は、伸縮性のベルト７８によって所定場所に保持される。
【００３１】
適切な寸法の例として、ペグ３２は、キャップ３６の表面で測定して直径が約５ｍｍ、長さが８．５ｍｍであってよい。フェルールへの挿し込みを助けるために、ペグ３２は、基部よりも先端が０．７５ｍｍだけ狭くなるように先細ってよい。ドット３８は、高さが０．７５ｍｍ程度であってよい。スリーブ２０内の凹所は、ペグ３２の基部よりも数十分の１ミリだけ広くてよい。ペグ８６は、キャップ９０の表面で測定して直径が約９ｍｍ、長さが約１４ｍｍであってよい。磁気素子２４と３４との間の磁気引っ張り力は、代表的実施例では、ペグ３２が完全にヘッドアセンブリ１２に挿し込まれたときに約０．６ｌｂ（２．６７Ｎ）程度であってよい。約０．４ｌｂｆ（１．８Ｎ）から約１．２ｌｂｆ（５．３３Ｎ）までの範囲内の力が、許容可能であることがわかっている。許容範囲内におけるかなりのばらつきが、セット内のブラシ間及び異なるセット間の両方において許容可能であることがわかっている。大きいブラシヘッドアセンブリ９２等の場合は、０．４ｌｂｆ又は０．４５ｌｂｆ（１．８Ｎ又は２Ｎ）から２ｌｂｆ（９Ｎ）までの範囲内の引っ張り力が、許容可能であることがわかっている。
【００３２】
本発明では、発明の趣旨又は範囲から逸脱することなく様々な変更及び変形をなすことが可能である。したがって、本発明は、この発明の変更及び変形を、添付の特許請求の範囲及びそれらの等価物の範囲に入るものとして網羅することを意図している。
【００３３】
例えば、ヘッドアセンブリ１２、４０等は、第１の磁石２４を含むものとして、ハンドルは、第２の磁石３４を含むものとして示されている。或いは、要素２４、３４は、一方が磁石で、他方が磁化可能な鉄片若しくは鋼片、又はその他の磁化可能な材料片であってよい。図１１に示された実施形態では、１本のハンドル１４は、磁石３４、８８を有してよく、複数のヘッドアセンブリ１２、４０等は、磁化可能な鋼の円板２４を有してよい。或いは、一方の端において、他方の端よりも強い磁気結合が所望される場合は、広い端８
８、９２等において、狭い端１４、１２等と異なる構成が使用されてよい。
【００３４】
例えば、図３、及び図５〜１０では、スリーブ２０は、第１の磁石２４を超えてヘッドに向かって伸びるものとして示されている。スリーブ２０がフェルール１８の補強を提供するかどうかに応じて、スリーブは、磁石２４を終端とするか、又はフェルールのヘッド端まで伸びるかしてよい。
【００３５】
例えば、図１１に示されたキット８０は、１本のハンドル１４と、幾つかのヘッドアセンブリ１２、４０等とを有する。或いは、同じ又は異なる２本又は３本以上のハンドル１４が提供されてよい。或いは、１つのヘッドを異なる用法で使用することを可能にするために、１つのヘッドが異なるハンドルとともに使用されてよい。
【００３６】
キット８０は、異なるヘッド及びハンドルの間における互換性を可能にするためのシステムとして、主に説明されてきた。或いは、又は加えて、説明されたブラシは、損傷された、使い古された、又はそれ以外の理由で不適切なヘッドを、ブラシを丸ごと破棄する無駄を伴わずに交換することを可能にするために、使用されてよい。
【００３７】
図に示されるように、ヘッド１２等は、ハンドル１４の端にあるペグ３２、８６を収める中空端２２を伴うフェルール２０を有する。或いは、ハンドル１４は、フェルール２０の端にあるペグを収める凹所を提供されてよい。
【図１】
2011500264.tif 000003
【図２】
2011500264.tif 000004
【図３】
2011500264.tif 000005
【図４】
2011500264.tif 000006
【図５】
2011500264.tif 000007
【図６】
2011500264.tif 000008
【図７】
2011500264.tif 000009
【図８】
2011500264.tif 000010
【図９】
2011500264.tif 000011
【図１０】
2011500264.tif 000012
【図１１】
2011500264.tif 000013
2011500264.tif 000014
【手続補正書】
【提出日】平成22年7月23日(2010.7.23)
【手続補正１】
【補正対象書類名】特許請求の範囲
【補正対象項目名】全文
【補正方法】変更
【補正の内容】
【特許請求の範囲】
【請求項１】
ハンドルと、ハンドルに解放可能式に取り付け可能なヘッドアタッチメントとからなるブラシアセンブリであって、
前記ハンドル又はヘッドアタッチメントの一方は、開口端と凹所とを有し、前記ハンドル又はヘッドアタッチメントの他方は、凹所に挿し込み可能な突出を有し、前記凹所は、第１の磁気素子を有し、前記突出は、第２の磁気素子を有し、
突出又は凹所の一方は、突出又は凹所の他方に形成された対応する１本又は２本以上の溝に合わさるように、長手方向軸に対して周方向に位置決めされた、１つ又は２つ以上の隆起を含み、前記１つ又は２つ以上の隆起は、前記長手方向軸を中心にした、ハンドルに相対的なヘッドアタッチメントの回転を抑えるために、前記対応する１本又は２本以上の溝に係合するようにサイズを決定される、ことを特徴とするブラシアセンブリ。
【請求項２】
請求項１に記載のブラシアセンブリであって、
複数の前記隆起の配置構成と、対応する複数の前記溝の配置構成とを備え、
前記隆起の配置構成の各隆起は、前記溝の配置構成の前記溝の１本の中に着座するように寸法を決められた突き出しドットである、ブラシアセンブリ。
【請求項３】
請求項２に記載のブラシアセンブリであって、
前記溝の各自は、前記凹所の開口端に一致する前記溝の第１の端の開口端幅が前記溝の第２の端の第２の幅より大きいように先細にされる、ブラシアセンブリ。
【請求項４】
請求項１に記載のブラシアセンブリであって、
前記１つ又は２つ以上の隆起の配置構成が前記１本又は２本以上の溝の配置構成によって係合されるときの、前記第１の磁気素子と前記第２の磁気素子との間の引っ張り力は、約１．８Ｎから約９．０Ｎまでの間である、ブラシアセンブリ。
【請求項５】
請求項１に記載のブラシアセンブリであって、
前記１つ又は２つ以上の隆起の配置構成が前記１本又は２本以上の溝の配置構成によって係合されるときの、前記第１の磁気素子と前記第２の磁気素子との間の引っ張り力は、約２．０Ｎから約５．３３Ｎまでの間である、ブラシアセンブリ。
【請求項６】
請求項１に記載のブラシアセンブリであって、
前記ヘッドアタッチメントは、前記ハンドルに互換式に取り付け可能な複数のヘッドアタッチメントの１つである、ブラシアセンブリ。
【請求項７】
請求項６に記載のブラシアセンブリであって、
前記ハンドルは、第１の端及び第２の端を有し、前記第１の端及び前記第２の端は、各自、前記第１の磁気素子又は前記第２の磁気素子の一方を含み、前記複数のヘッドアタッチメントの各ヘッドアタッチメントは、前記第１の端又は前記第２の端の少なくとも一方に解放可能式に取り付け可能である、ブラシアセンブリ。
【請求項８】
請求項７に記載のブラシアセンブリであって、
前記１つ又は２つ以上の更なるヘッドアタッチメントは、前記第１の端に及び前記第２の端に解放可能式に取り付け可能である、ブラシアセンブリ。
【請求項９】
取り外し可能なヘッドアタッチメントをハンドルに装着する方法であって、
ハンドル又はヘッドアタッチメントの一方に設けられた突出の先端を、前記ハンドル又は前記ヘッドアタッチメントの他方に形成された開口端内に広がる凹所に挿し込むステップと、
突出の長手方向軸に対して周方向に位置決めされた隆起の配置構成を、前記開口端内に広がる前記凹所内に形成された溝の配置構成に合わせるステップであって、前記溝は、前記凹所内における前記突出の着座位置まで前記隆起の配置構成を導く、ステップと、
前記凹所内の第１の磁気素子と前記突出内の第２の磁気素子との間の引っ張り力によって、前記着座位置を維持するステップと、
を備える方法。
【請求項１０】
請求項９に記載の、ヘッドアタッチメントをハンドルに装着する方法であって、
少なくとも、突出の先端を凹所に挿し込む前記ステップは、前記ヘッドアタッチメントが保管位置にある状態で実施される、方法。
【請求項１１】
請求項９に記載の、ヘッドアタッチメントをハンドルに装着する方法であって、
少なくとも、突出の先端を凹所に挿し込む前記ステップは、前記ハンドルを固定位置から取り外さずに実施される、方法。
【請求項１２】
請求項９に記載の、ヘッドアタッチメントをハンドルに装着する方法であって、
隆起の配置構成を溝の配置構成に合わせる前記ステップ、及び前記隆起の配置構成を着座位置まで導く前記ステップは、少なくとも一部には、前記第１の磁気素子と前記第２の磁気素子との間の引っ張り力によって促進される、方法。
【請求項１３】
請求項９に記載の、ヘッドアタッチメントをハンドルに装着する方法であって、
前記溝の各自は、前記凹所の開口端に一致する前記溝の第１の端の幅が前記溝の第２の端の幅より大きいように先細にされる、方法。
【請求項１４】
ブラシアセンブリキットであって、
容器内に解放可能式に固定された複数のヘッドアタッチメントであって、前記複数のヘッドアタッチメントの各ヘッドアタッチメントは、ハンドルに選択式に装着可能である、複数のヘッドアタッチメントと、
前記容器内の備え付け位置に解放可能式に保持されたハンドルと、
を備え、前記ハンドル又はヘッドアタッチメントの一方は、凹所を定める開口端を有し、前記ハンドル又はヘッドアタッチメントの他方は、凹所に挿し込み可能な突出を有し、前記凹所は、第１の磁気素子を有し、前記突出は、第２の磁気素子を有し、
突出又は凹所の一方は、突出又は凹所の他方に形成された対応する１本又は２本以上の溝に合わさるように、長手方向軸に対して周方向に位置決めされた、１つ又は２つ以上の隆起を含み、前記１つ又は２つ以上の隆起は、前記長手方向軸を中心にした、ハンドルに相対的なヘッドアタッチメントの回転を抑えるために、前記対応する１本又は２本以上の溝に係合するようにサイズを決定される、ブラシアセンブリキット。
【請求項１５】
請求項１４に記載のブラシアセンブリキットであって、
前記複数のヘッドアタッチメントの各ヘッドアタッチメントは、残りを前記容器内に解放可能式に固定されたまま、前記ハンドルに装着されるように位置決めされる、ブラシアセンブリキット。
【国際調査報告】
2011500264.tif 000015
2011500264.tif 000016
2011500264.tif 000017